【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
ゴム組成物であって、
（ａ）少なくとも一つのゴム成分；
（ｂ）少なくとも一つのシラン反応性充填剤；
（ｃ）任意選択で少なくとも一つの活性化剤；および
（ｄ）一般式（１）：
［Ｘ１Ｘ２Ｘ３Ｓｉ−］ｄ（Ｇ）ａ［−Ｙ−（ＣＲ３−ｅ−Ｚｅ）ｂ］ｃ        （１）
〔式中、
Ｘ１の各々はＣｌ−、Ｂｒ−、Ｉ−、Ｒ１Ｏ−、Ｒ１（＝Ｏ）Ｏ−、Ｒ１２Ｃ＝ＮＯ−、およびＲ１２ＮＯ−からなる加水分解性基より独立して選択され、ここで各々のＲ１は水素、直鎖、環状もしくは分岐の、アルキル基、アルケニル基、アリール基、およびアラルキル基からなる群より独立して選択され、ここで水素以外の各々のＲ１は、１から１８の炭素原子を含有し、酸素および硫黄からなる群より選択される少なくとも一つのヘテロ原子を任意選択で含有し、
Ｘ２およびＸ３の各々はＸ１およびＲ２の群より独立して選択され、ここで各々のＲ２は水素、アルキル基、アルケニル基、アリール基、およびアラルキル基からなる群より独立して選択され、ここで水素以外の各々のＲ２は、１から１８の炭素原子を含有し、酸素および硫黄からなる群より選択される少なくとも一つのヘテロ原子を任意選択で含有し、
Ｇの各々は、酸素、硫黄、リン、およびケイ素からなる群より選択される少なくとも一つのヘテロ原子を任意選択で含有してもよい、二価もしくは多価の、１から約１８の炭素原子の炭化水素基であり、
Ｙの各々は独立して不飽和基であり、
Ｚの各々は独立して、Ｆｌ−、Ｃｌ−、Ｂｒ−、およびＩ−からなる群より選択されるハロゲン原子であり、
Ｒの各々は、水素、アルキル、アルケニル、アリールもしくはアラルキルからなる群より独立して選択され、ここで、水素以外の各々のＲは１から３０の炭素原子を含有し、そして、
下付き文字ａ、ｂ、およびｃの各々は、ａが０もしくは１、ｂが１から約５の整数、ｃが１から３の整数、ただし、ａが０の時はｃが１であり、ａが１の時はｃが１から３の整数であるという条件であり、ｄが１から５の整数、そしてｅが１から３の整数によって独立して与えられる整数である〕
の少なくとも一つの加水分解性シラン、
を含有する、ゴム組成物。
【請求項２】
ゴム成分（ａ）が少なくとも一つのジエン系エラストマーもしくはジエン系ラバーからなる群より選択される有機ポリマーである、請求項１に記載のゴム組成物。
【請求項３】
ゴム成分（ａ）が共役ジエン、ビニル芳香族化合物、およびそれらの組み合わせからなる群より選択されるモノマーから作成される、請求項１に記載のゴム組成物。
【請求項４】
ゴム成分（ａ）が硫黄硬化性ゴムである、請求項１に記載のゴム組成物。
【請求項５】
ゴム成分（ａ）が、天然ゴム、合成ポリイソプレン、ポリブタジエン、ブタジエンのコポリマー、イソプレンのコポリマー、溶液法のスチレン−ブタジエンゴム、エマルジョン法のスチレン−ブタジエンゴム、エチレン−プロピレン三元重合体、およびアクリロニトリル−ブタジエンゴムからなる群より選択される少なくとも一つである、請求項１に記載のゴム組成物。
【請求項６】
シラン反応性充填剤（ｂ）が少なくとも一つの金属酸化物である、請求項１に記載のゴム組成物。
【請求項７】
シラン反応性充填剤（ｂ）が、シリカ、アルミナ、二酸化チタン、アルミノケイ酸塩の物質、およびアルミのシリカ質の物質からなる群より選択される少なくとも一つである、請求項１に記載のゴム組成物。
【請求項８】
シラン反応性充填剤（ｂ）が、焼成シリカおよび／もしくは沈降シリカである、請求項１に記載のゴム組成物。
【請求項９】
シラン反応性充填剤（ｂ）が、シリカとカーボンブラックとの組み合わせである、請求項１に記載のゴム組成物。
【請求項１０】
一般式（１）のシラン（ｄ）の［−Ｙ−（ＣＲ３−ｅ−Ｚｅ）ｂ］部分が、−ＣＨ＝ＣＨ−ＣＨ２−Ｚ、−Ｃ≡ＣＣＨ２−Ｚおよび−Ａｒ−ＣＨ２−Ｚ（ここでＺはハロゲン原子でそしてＡｒは芳香環を示す）からなる群より選択される、請求項１に記載のゴム組成物。
【請求項１１】
シラン（ｄ）が、３−クロロプロパ−１−イニルトリエトキシシラン、３−クロロプロパ−１−エニルトリエトキシシラン、３−クロロプロパ−１−エニルトリメトキシシラン、３−クロロプロパ−１−エニルメチルジエトキシシラン、３−クロロプロパ−１−エニルジメチルエトキシシラン、３−クロロプロパ−１−エニルトリブトキシシラン、３−ブロモプロパ−１−エニルトリエトキシシラン、３−ブロモプロパ−１−エニルトリメトキシシラン、３−ブロモプロパ−１−エニルトリブトキシシラン、３−イオドプロパ−１−エニルトリエトキシシラン、３−イオドプロパ−１−エニルトリメトキシシラン、３−イオドプロパ−１−エニルトリブトキシシラン、（ｐ−クロロメチルフェニルエチル）トリエトキシシラン、（ｐ−ジクロロメチルフェニルエチル）トリエトキシシラン、（ｐ−トリクロロメチルフェニルエチル）トリエトキシシラン、（ｐ−クロロメチルフェニルエチル）メチルジエトキシシラン、（ｐ−クロロメチルフェニルエチル）ジメチルエトキシシラン、（ｐ−α−クロロエチルフェニルエチル）トリエトキシシラン、（ｐ−α−クロロプロピルフェニルエチル）トリエトキシシラン、（ｐ−クロロメチルフェニルエチル）トリメトキシシラン、（ｐ−α−クロロエチルフェニルエチル）トリメトキシシラン、（ｐ−α−クロロプロピルフェニルエチル）トリメトキシシラン、（ｐ−クロロメチルフェニルエチル）トリブトキシシラン、（ｐ−α−クロロエチルフェニルエチル）トリブトキシシラン、（ｐ−α−クロロプロピルフェニルエチル）トリブトキシシラン、（ｐ−ブロモメチルフェニルエチル）トリエトキシシラン、（ｐ−α−ブロモエチルフェニルエチル）トリエトキシシラン、（ｐ−α−ブロモプロピルフェニルエチル）トリエトキシシラン、（ｐ−ブロモメチルフェニルエチル）トリメトキシシラン、（ｐ−α−ブロモエチルフェニルエチル）トリメトキシシラン、（ｐ−α−ブロモプロピルフェニルエチル）トリメトキシシラン、（ｐ−ブロモメチルフェニルエチル）トリブトキシシラン、（ｐ−α−ブロモエチルフェニルエチル）トリブトキシシラン、（ｐ−α−ブロモプロピルフェニルエチル）トリブトキシシラン、（ｐ−イオドメチルフェニルエチル）トリエトキシシラン、（ｐ−α−イオドエチルフェニルエチル）トリエトキシシラン、（ｐ−α−イオドプロピルフェニルエチル）トリエトキシシラン、（ｐ−イオドメチルフェニルエチル）トリメトキシシラン、（ｐ−α−イオドエチルフェニルエチル）トリメトキシシラン、（ｐ−α−イオドプロピルフェニルエチル）トリメトキシシラン、（ｐ−イオドメチルフェニルエチル）トリブトキシシラン、（ｐ−α−イオドエチルフェニルエチル）トリブトキシシラン、（ｐ−α−イオドプロピルフェニルエチル）トリブトキシシラン、（ｍ−クロロメチルフェニルエチル）トリエトキシシラン、（ｍ−α−クロロエチルフェニルエチル）トリエトキシシラン、（ｍ−α−クロロプロピルフェニルエチル）トリエトキシシラン、（ｍ−クロロメチルフェニルエチル）トリメトキシシラン、（ｍ−α−クロロエチルフェニルエチル）トリメトキシシラン、（ｍ−α−クロロプロピルフェニルエチル）トリメトキシシラン、（ｍ−クロロメチルフェ���ルエチル）トリブトキシシラン、（ｍ−α−クロロエチルフェニルエチル）トリブトキシシラン、（ｍ−α−クロロプロピルフェニルエチル）トリブトキシシラン、（ｍ−ブロモメチルフェニルエチル）トリエトキシシラン、（ｍ−α−ブロモエチルフェニルエチル）トリエトキシシラン、（ｍ−α−ブロモプロピルフェニルエチル）トリエトキシシラン、（ｍ−ブロモメチルフェニルエチル）トリメトキシシラン、（ｍ−α−ブロモエチルフェニルエチル）トリメトキシシラン、（ｍ−α−ブロモプロピルフェニルエチル）トリメトキシシラン、（ｍ−ブロモメチルフェニルエチル）トリブトキシシラン、（ｍ−α−ブロモエチルフェニルエチル）トリブトキシシラン、（ｍ−α−ブロモプロピルフェニルエチル）トリブトキシシラン、（ｍ−イオドメチルフェニルエチル）トリエトキシシラン、（ｍ−α−イオドエチルフェニルエチル）トリエトキシシラン、（ｍ−α−イオドプロピルフェニルエチル）トリエトキシシラン、（ｍ−イオドメチルフェニルエチル）トリメトキシシラン、（ｍ−α−イオドエチルフェニルエチル）トリメトキシシラン、（ｍ−α−イオドプロピルフェニルエチル）トリメトキシシラン、（ｍ−イオドメチルフェニルエチル）トリブトキシシラン、（ｍ−α−イオドエチルフェニルエチル）トリブトキシシラン、（ｍ−α−イオドプロピルフェニルエチル）トリブトキシシラン、２，２−ビス−（トリエトキシシリル）−１−（ｐ−クロロメチルフェニル）エタン、２，３−ビス−（トリエトキシシリル）−１−（ｐ−クロロメチルフェニル）プロパン、（ＣＨ３ＣＨ２Ｏ）３ＳｉＣＨ２ＣＨ２ＣＨ２ＯＣＨ２ＣＨ＝ＣＨＣＨ２Ｃｌ、およびそれらの混合物からなる群より選択される少なくとも一つのシランである、請求項１に記載のゴム組成物。
【請求項１２】
前記ゴム組成物が（ａ）、（ｂ）、任意選択で（ｃ）、および（ｄ）の混合物および／もしくは反応産物を含有している、請求項１に記載のゴム組成物。
【請求項１３】
シラン（ｄ）が一つの官能性を介してシラン反応性充填剤（ｂ）と、別の官能性を介してゴム成分（ａ）と結合している、請求項１に記載のゴム組成物。
【請求項１４】
ラバー組成物を作製するためのプロセスであって、
（ａ）少なくとも一つのゴム成分；
（ｂ）少なくとも一つのシラン反応性充填剤；
（ｃ）任意選択で少なくとも一つの活性化剤；および
（ｄ）一般式（１）：
［Ｘ１Ｘ２Ｘ３Ｓｉ−］ｄ（Ｇ）ａ［−Ｙ−（ＣＲ３−ｅ−Ｚｅ）ｂ］ｃ        （１）
〔式中、
Ｘ１の各々はＣｌ−、Ｂｒ−、Ｉ−、Ｒ１Ｏ−、Ｒ１（＝Ｏ）Ｏ−、Ｒ１２Ｃ＝ＮＯ−、およびＲ１２ＮＯ−からなる加水分解性基より独立して選択され、ここで各々のＲ１は水素、直鎖、環状もしくは分岐の、アルキル基、アルケニル基、アリール基、およびアラルキル基からなる群より独立して選択され、ここで水素以外の各々のＲ１は、１から１８の炭素原子を含有し、酸素および硫黄からなる群より選択される少なくとも一つのヘテロ原子を任意選択で含有し、
Ｘ２およびＸ３の各々はＸ１およびＲ２の群より独立して選択され、ここで各々のＲ２は水素、アルキル基、アルケニル基、アリール基、およびアラルキル基からなる群より独立して選択され、ここで水素以外の各々のＲ２は、１から１８の炭素原子を含有し、酸素および硫黄からなる群より選択される少なくとも一つのヘテロ原子を任意選択で含有し、
Ｇの各々は、酸素、硫黄、リン、およびケイ素からなる群より選択される少なくとも一つのヘテロ原子を任意選択で含有してもよい、二価もしくは多価の、１から約１８の炭素原子の炭化水素基であり、
Ｙの各々は独立して不飽和基であり、
Ｚの各々は独立して、Ｆｌ−、Ｃｌ−、Ｂｒ−、およびＩ−からなる群より選択されるハロゲン原子であり、
Ｒの各々は、水素、アルキル、アルケニル、アリールもしくはアラルキルからなる群より独立して選択され、ここで、水素以外の各々のＲは１から３０の炭素原子を含有し、そして、
下付き文字ａ、ｂ、およびｃの各々は、ａが０もしくは１、ｂが１から約５の整数、ｃが１から３の整数、ただし、ａが０の時はｃが１であり、ａが１の時はｃが１から３の整数であるという条件であり、ｄが１から５の整数、そしてｅが１から３の整数によって独立して与えられる整数である〕
の少なくとも一つの加水分解性シラン、
を混合するステップを含有し、
ここで、（ａ）、（ｂ）、任意選択で（ｃ）、および（ｄ）が有効量で存在する、
プロセス。
【請求項１５】
ゴム成分（ａ）が少なくとも一つのジエン系エラストマーもしくはジエン系ラバーからなる群より選択される有機ポリマーである、請求項１４に記載のプロセス。
【請求項１６】
ゴム成分（ａ）が共役ジエン、ビニル芳香族化合物、およびそれらの組み合わせからなる群より選択されるモノマーから作成される、請求項１４に記載のプロセス。
【請求項１７】
ゴム成分（ａ）が硫黄硬化性ゴムである、請求項１４に記載のプロセス。
【請求項１８】
ゴム成分（ａ）が、天然ゴム、合成ポリイソプレン、ポリブタジエン、ブタジエンのコポリマー、イソプレンのコポリマー、溶液法のスチレン−ブタジエンゴム、エマルジョン法のスチレン−ブタジエンゴム、エチレン−プロピレン三元重合体、およびアクリロニトリル−ブタジエンゴムからなる群より選択される少なくとも一つである、請求項１４に記載のプロセス。
【請求項１９】
シラン反応性充填剤（ｂ）が少なくとも一つの金属酸化物である、請求項１４に記載のプロセス。
【請求項２０】
シラン反応性充填剤（ｂ）が、シリカ、アルミナ、二酸化チタン、アルミノケイ酸塩の物質、およびアルミのシリカ質の物質からなる群より選択される少なくとも一つである、請求項１４に記載のプロセス。
【請求項２１】
シラン反応性充填剤（ｂ）が、焼成シリカおよび／もしくは沈降シリカである、請求項１４に記載のプロセス。
【請求項２２】
シラン反応性充填剤（ｂ）が、シリカとカーボンブラックとの組み合わせである、請求項１４に記載のプロセス。
【請求項２３】
一般式（１）のシラン（ｄ）の［−Ｙ−（ＣＲ３−ｅ−Ｚｅ）ｂ］部分が、−ＣＨ＝ＣＨ−ＣＨ２−Ｚ、−Ｃ≡ＣＣＨ２−Ｚおよび−Ａｒ−ＣＨ２−Ｚ（ここでＺはハロゲン原子でそしてＡｒは芳香環を示す）からなる群より選択される、請求項１４に記載のプロセス。
【請求項２４】
シラン（ｄ）が、３−クロロプロパ−１−イニルトリエトキシシラン、３−クロロプロパ−１−エニルトリエトキシシラン、３−クロロプロパ−１−エニルトリメトキシシラン、３−クロロプロパ−１−エニルメチルジエトキシシラン、３−クロロプロパ−１−エニルジメチルエトキシシラン、３−クロロプロパ−１−エニルトリブトキシシラン、３−ブロモプロパ−１−エニルトリエトキシシラン、３−ブロモプロパ−１−エニルトリメトキシシラン、３−ブロモプロパ−１−エニルトリブトキシシラン、３−イオドプロパ−１−エニルトリエトキシシラン、３−イオドプロパ−１−エニルトリメトキシシラン、３−イオドプロパ−１−エニルトリブトキシシラン、（ｐ−クロロメチルフェニルエチル）トリエトキシシラン、（ｐ−ジクロロメチルフェニルエチル）トリエトキシシラン、（ｐ−トリクロロメチルフェニルエチル）トリエトキシシラン、（ｐ−クロロメチルフェニルエチル）メチルジエトキシシラン、（ｐ−クロロメチルフェニルエチル）ジメチルエトキシシラン、（ｐ−α−クロロエチルフェニルエチル）トリエトキシシラン、（ｐ−α−クロロプロピルフェニルエチル）トリエトキシシラン、（ｐ−クロロメチルフェニルエチル）トリメトキシシラン、（ｐ−α−クロロエチルフェニルエチル）トリメトキシシラン、（ｐ−α−クロロプロピルフェニルエチル）トリメトキシシラン、（ｐ−クロロメチルフェニルエチル）トリブトキシシラン、（ｐ−α−クロロエチルフェニルエチル）トリブトキシシラン、（ｐ−α−クロロプロピルフェニルエチル）トリブトキシシラン、（ｐ−ブロモメチルフェニルエチル）トリエトキシシラン、（ｐ−α−ブロモエチルフェニルエチル）トリエトキシシラン、（ｐ−α−ブロモプロピルフェニルエチル）トリエトキシシラン、（ｐ−ブロモメチルフェニルエチル）トリメトキシシラン、（ｐ−α−ブロモエチルフェニルエチル）トリメトキシシラン、（ｐ−α−ブロモプロピルフェニルエチル）トリメトキシシラン、（ｐ−ブロモメチルフェニルエチル）トリブトキシシラン、（ｐ−α−ブロモエチルフェニルエチル）トリブトキシシラン、（ｐ−α−ブロモプロピルフェニルエチル）トリブトキシシラン、（ｐ−イオドメチルフェニルエチル）トリエトキシシラン、（ｐ−α−イオドエチルフェニルエチル）トリエトキシシラン、（ｐ−α−イオドプロピルフェニルエチル）トリエトキシシラン、（ｐ−イオドメチルフェニルエチル）トリメトキシシラン、（ｐ−α−イオドエチルフェニルエチル）トリメトキシシラン、（ｐ−α−イオドプロピルフェニルエチル）トリメトキシシラン、（ｐ−イオドメチルフェニルエチル）トリブトキシシラン、（ｐ−α−イオドエチルフェニルエチル）トリブトキシシラン、（ｐ−α−イオドプロピルフェニルエチル）トリブトキシシラン、（ｍ−クロロメチルフェニルエチル）トリエトキシシラン、（ｍ−α−クロロエチルフェニルエチル）トリエトキシシラン、（ｍ−α−クロロプロピルフェニルエチル）トリエトキシシラン、（ｍ−クロロメチルフェニルエチル）トリメトキシシラン、（ｍ−α−クロロエチルフェニルエチル）トリメトキシシラン、（ｍ−α−クロロプロピルフェニルエチル）トリメトキシシラン、（ｍ−クロロメチルフェ���ルエチル）トリブトキシシラン、（ｍ−α−クロロエチルフェニルエチル）トリブトキシシラン、（ｍ−α−クロロプロピルフェニルエチル）トリブトキシシラン、（ｍ−ブロモメチルフェニルエチル）トリエトキシシラン、（ｍ−α−ブロモエチルフェニルエチル）トリエトキシシラン、（ｍ−α−ブロモプロピルフェニルエチル）トリエトキシシラン、（ｍ−ブロモメチルフェニルエチル）トリメトキシシラン、（ｍ−α−ブロモエチルフェニルエチル）トリメトキシシラン、（ｍ−α−ブロモプロピルフェニルエチル）トリメトキシシラン、（ｍ−ブロモメチルフェニルエチル）トリブトキシシラン、（ｍ−α−ブロモエチルフェニルエチル）トリブトキシシラン、（ｍ−α−ブロモプロピルフェニルエチル）トリブトキシシラン、（ｍ−イオドメチルフェニルエチル）トリエトキシシラン、（ｍ−α−イオドエチルフェニルエチル）トリエトキシシラン、（ｍ−α−イオドプロピルフェニルエチル）トリエトキシシラン、（ｍ−イオドメチルフェニルエチル）トリメトキシシラン、（ｍ−α−イオドエチルフェニルエチル）トリメトキシシラン、（ｍ−α−イオドプロピルフェニルエチル）トリメトキシシラン、（ｍ−イオドメチルフェニルエチル）トリブトキシシラン、（ｍ−α−イオドエチルフェニルエチル）トリブトキシシラン、（ｍ−α−イオドプロピルフェニルエチル）トリブトキシシラン、２，２−ビス−（トリエトキシシリル）−１−（ｐ−クロロメチルフェニル）エタン、２，３−ビス−（トリエトキシシリル）−１−（ｐ−クロロメチルフェニル）プロパン、（ＣＨ３ＣＨ２Ｏ）３ＳｉＣＨ２ＣＨ２ＣＨ２ＯＣＨ２ＣＨ＝ＣＨＣＨ２Ｃｌ、およびそれらの混合物からなる群より選択される少なくとも一つのシランである、請求項１４に記載のプロセス。
【請求項２５】
前記ゴム組成物が（ａ）、（ｂ）、任意選択で（ｃ）、および（ｄ）の混合物および／もしくは反応産物を含有している、請求項１４に記載のプロセス。
【請求項２６】
シラン（ｄ）が一つの官能性を介してシラン反応性充填剤（ｂ）と、別の官能性を介してゴム成分（ａ）と結合している、請求項１４に記載のプロセス。
【請求項２７】
ゴム組成物を硬化するステップをさらに含有する、請求項１４に記載のプロセス。
【請求項２８】
少なくとも一つの要素が請求項１の硬化ゴム組成物である、製品。
【請求項２９】
少なくとも一つの要素が請求項２７の硬化ゴム組成物である、製品。
【請求項３０】
少なくとも一つの要素が請求項２８の硬化ゴム組成物を含む、タイヤ。
【請求項３１】
少なくとも一つの要素が請求項２９の硬化ゴム組成物を含む、タイヤ。
【請求項３２】
前記シラン（ｄ）がシラン反応性充填剤（ｂ）と予め反応しているか、もしくはシラン反応性充填剤（ｂ）と共に予め混合されている、請求項１に記載のゴム組成物。
【請求項３３】
前記シラン反応性充填剤（ｂ）が、シリカ、アルミナ、二酸化チタン、アルミノケイ酸塩の物質、およびアルミのシリカ質の物質からなる群より選択される少なくとも一つである、請求項３２に記載のゴム組成物。
【請求項３４】
前記シラン反応性充填剤（ｂ）が、焼成シリカおよび／もしくは沈降シリカである、請求項３３に記載のゴム組成物。
【請求項３５】
前記シラン反応性充填剤（ｂ）およびシラン（ｄ）が、混合前に、ゴム成分（ａ）および任意選択で活性化剤（ｃ）と予め反応しているか、もしくはゴム成分（ａ）および任意選択で活性化剤（ｃ）と共に混合されている、請求項１４に記載のプロセス。
【手続補正２】
【補正対象書類名】明細書
【補正対象項目名】００２０
【補正方法】変更
【補正の内容】
【００２０】
ここでの他の実施態様において、一般式（１）のシラン（ｄ）の［−Ｙ−（ＣＲ３−ｅ−Ｚｅ）ｂ］部分は、−ＣＨ＝ＣＨ−ＣＨ２−Ｚ、−Ｃ≡ＣＣＨ２−Ｚおよび−Ａｒ−ＣＨ２−Ｚ（ここでＺはハロゲン原子でそしてＡｒは芳香環を示す）からなる群より選択される。